(57)【要約】【課題】横向きに寝た場合の耳介部を安定的に逃げることができるとともに、仰向きに寝た場合の後頭部を安定的に支持することのできる枕を提供する。【解決手段】全体が袋状の表皮で覆われた長方形状の枕１であって、長方形状の長手方向中央部に連続して設けられた窪み部２と、その両側に設けられて表皮内部にクッション材を充填された隆起部３、４とを備える。窪み部３、４は、内部に細長い重し部材９が収容されて、この重し部材９を挟んだ保護材８をその長手方向両側において表皮５の表裏と縫い合わせることにより形成されている。枕１を長手方向を横向きに使用して頭部を仰向けに載せると、首側の隆起部４に頚椎部分が支持され、後頭隆起が窪み部２に収まり、後頭部が頭側の隆起部３に支持されて、頭部が安定的に支持され、横向きに寝た場合には、耳介部が常に窪み部２に収まる。【選択図】図１
0003128176.tif 000002
【実用新案登録請求の範囲】
【請求項１】
全体が袋状の表皮で覆われた長方形状の枕であって、長方形状の長手方向中央部に連続して設けられた窪み部と、前記窪み部の両側に設けられて表皮内部にクッション材を充填された隆起部とを備え、前記窪み部は、内部に細長い重し部材が収容されて、前記細長い重し部材の長手方向両側において前記表皮の表裏を縫い合わせることにより形成されていることを特徴とする枕。
【請求項２】
前記窪み部は、前記重し部材の表裏が保護材により挟まれていることを特徴とする請求項１記載の枕。
【請求項３】
前記表皮は、短辺側の両方にファスナーが設けられ、前記クッション材は、中袋に収容されて前記開放されたファスナーから前記表皮内部に充填されることを特徴とする請求項１または２記載の枕。
【考案の詳細な説明】
【技術分野】
【０００１】
本考案は、全体が袋状の表皮で覆われた長方形状の枕、特に後頭部に対する収まりがよく、耳に対する圧迫感のない快眠、快適性を追及した枕に関する。
【背景技術】
【０００２】
枕は安眠、快眠を得る上で重要な健康器材の１つである。就寝時の姿勢は、人によって異なるが、横向きで寝る人の割合が多い。横向きで寝る場合でも、一時的には仰向きで寝る場合もあり、普段は仰向きで寝る人も一時的には横向きで寝る場合もある。このため、枕は、通常横長の長方形状に形成されて、仰向き、横向きに対応できるようになっている。仰向きで寝る場合は、後頭部および後頭隆起のみが枕に支持されるため、頚椎部分に負担がかかり、疲れやすくなる。このため、柔らかく弾性を有して圧力が分散される枕が好まれている。横向きで寝る場合は、耳が頭の重さにより枕に圧迫され、寝覚めたときに耳にしびれが残ることがある。このような耳に対する圧迫感を取り除くために、耳の当たる部分に窪みを設けた枕が知られている（例えば、特許文献１および２参照）。
【０００３】
特許文献１に記載のものは、長方形状の枕に対し、中央部縦方向に連続した窪みを設けて、この窪みにより仰向けに寝た場合の頭部を支持して、後頭部に対する収まりをよくしている。窪み部の両側に設けられた隆起部は、左右横向きに寝た場合の側頭部を支持するもので、中央部には耳を逃げるための縦長の窪みが設けられている。特許文献２に記載のものは、長方形の枕の中央部縦方向に部分的に細長の溝を設け、仰向けに寝た場合の後頭部を細溝部分で逃がすとともに、横向きに寝た場合の耳への圧迫を細溝部分で逃げるようにしている。
【特許文献１】特開２００２−１０２０３８号公報
【特許文献２】登録実用新案第３１１１８３２号公報
【考案の開示】
【考案が解決しようとする課題】
【０００４】
しかしながら、従来のこの種の枕では、耳介部が側頭部の一部に縦方向についているため、枕に対し縦方向に部分的に凹部が設けられている。このため、耳介部がきちんと凹部部分に対応していないと、耳介部を逃げることができず、凹部の効果が十分に発揮されないという問題があった。
【０００５】
本考案は、このような従来の問題を解決するために、仰向きに寝た場合の後頭部を安定的に支持することができるとともに、横向きに寝た場合の耳介部を安定的に逃げることのできる枕を提供することを目的とする。
【課題を解決するための手段】
【０００６】
本考案は、全体が袋状の表皮で覆われた長方形状の枕であって、長方形状の長手方向中央部に連続して設けられた窪み部と、前記窪み部の両側に設けられて表皮内部にクッション材を充填された隆起部とを備え、前記窪み部は、内部に細長い重し部材が収容されて、前記細長い重し部材の長手方向両側において前記表皮の表裏を縫い合わせることにより形成されていることを特徴とする。
【０００７】
上記の構成により、本考案の枕は、中央の窪み部が内部の重し部材により下方に落ち込むことにより、その両側の隆起部が窪み部側に持ち上がることになる。このような形状の枕を長手方向を横向きに使用することにより、中央部の溝部は横方向になり、この枕に頭部を仰向けに載せると、丁度首側の隆起部に頚椎部分が支持され、後頭隆起が窪み部に収まり、後頭部が頭側の隆起部に支持されて、頭部が安定的に支持される。また、横向きになった場合は、丁度耳介部が窪み部に収まり、この状態から左右のいずれに反転しても、耳介部は常に窪み部に収まることになる。
【０００８】
また、本考案の枕は、前記窪み部が、前記重し部材の表裏が保護材により挟まれていることを特徴とする。これにより、クッション材よりも硬い重し部材に対する違和感または感触が緩和され、全体的にソフトな感触が得られる。
【０００９】
また、本考案の枕は、前記表皮が、短辺側の両方にファスナーが設けられ、前記クッション材が、中袋に収容されて前記開放されたファスナーから前記表皮内部に充填されることを特徴とする。枕の短辺側両方にファスナーが設けられているため、中袋に収容されたクッション材を表皮内部に充填する際に、入り口側から押し込んで出口側から引っ張ることにより、クッション材の充填を容易に行うことができる。これにより、利用者の好みにより隆起部の硬さや高さ、形状等を調整することができ、またクッション材の取り出しが容易になるので、表皮やクッション材の洗濯を適宜に行うことができる。
【考案の効果】
【００１０】
本考案の枕は、長方形状の長手方向中央部に連続して設けられた窪み部と、この窪み部の両側に設けられて表皮内部にクッション材を充填された隆起部とを備え、窪み部が、内部に細長い重し部材が収容されて、この細長い重し部材の長手方向両側において表皮の表裏を縫い合わせることにより形成されたものであり、長手方向を横向きにして使用することにより、仰向けに寝た場合は、窪み部の両側の隆起部により後頭部および頚椎部分が安定的に支持されるとともに、横向きに寝た場合は、耳介部が窪み部に収まるので、耳介部が圧迫されることがない。また、頭部を載せた場合に、窪み部には頭部が接触しないので開放感があり、夏場には頭部が涼しく感じられる。また、横方向に窪み部および隆起部が連続しているため、スムーズに寝返りを打つことができ、入眠から寝覚めまでの間、快適な睡眠をとることができる。また、枕の表裏をどちらの側にしても、重し部材により中央部が下がって窪み部が形成されるので、表裏のどちらの側でも同様に使用可能である。
【考案を実施するための最良の形態】
【００１１】
以下、本考案の実施の形態の枕について、図面を用いて説明する。図１（ａ）は本考案における枕の実施の形態を示す平面図、図１（ｂ）はその横断面図である。全体が長方形状に形成された枕１は、長方形状の長手方向中央部に連続して設けられた平坦な窪み部２と、窪み部２の両側に設けられた断面が木の葉形状の隆起部３と４とから構成されている。枕１は、全体を表皮５で形成され、各隆起部３、４は、内部に中袋６に収容されたクッション材７を充填されて構成されている。窪み部２は、内部に保護材８に表裏を挟まれた細長い重し部材９が収容されて、この重し部材９の長手方向両側において、表皮５と保護材８とを縫い合わせることにより形成されている。表皮５の短辺側の両端部には、ファスナー１０が縫い付けられている。
【００１２】
表皮５としては、例えば綿７５％、ポリエステル２５の布地が使用されるが、他の綿、麻、合成繊維等の布地を使用してもよく、厚手の方が見た目、感触、デザイン性等がよくなる。クッション材７としては、チップ状の低反発の軟質発泡ウレタンや発泡ポリエステル等が使用されるが、高密度発泡ウレタンやラテックス等の柔らかさと高い反発力を備えたものを使用してもよい。あるいは羽毛を使用してもよく、何種類かのクッション材を混用してもよい。中袋６はメッシュ状のものを使用することにより、内部にクッション材７を収容したまま、洗濯することができる。保護材８としてはフェルトが好適であるが、やしがら等の他の繊維または軟質の樹脂材料を使用してもよい。重し部材９としては、シリコンゴム等のゴム板またはポリプロピレン等の樹脂板または棒状（角または丸）のものが使用できるが、表面が柔らかなものを使用すれば、保護材８は必ずしも必要なものではない。ファスナー１０としてはチャックが使用されているが、ホックでも面ファスナーでもよい。
【００１３】
枕１の長手方向の長さＬは５９０ｍｍ程度、短辺側の長さＤは３６０ｍｍ程度であり、隆起部３、４の短辺側の寸法Ｄ１は１６０ｍｍ程度、窪み部２の短辺側の寸法Ｄ２は４０ｍｍ程度である。保護材８の厚さは３〜４ｍｍ程度であり、幅が５０ｍｍ程度、長さが５７０ｍｍ程度である。重し部材９は、厚さが２〜３ｍｍ程度、幅が４０ｍｍ程度、長さが５６０ｍｍ程度である。
【００１４】
次に、図２を参照してこの枕１の制作方法について説明する。まず寸法が長辺側寸法Ｌ×短辺側寸法２Ｄ（＝５９０ｍｍ×７２０ｍｍ）程度の大きさの表皮５（表皮５Ａ＋５Ｂ）を用意し、この表皮５を裏返しにして、図２（ａ）に示すように、一方の表皮５Ａの中央部にフェルト製の保護材８を仮縫いし、他方の表皮５Ｂの中央部にフェルト製の保護材８を仮縫いしてその上に重し部材９を真ん中にして載せて接着材により仮止めする。保護材８は、幅が５０ｍｍで長さが５７０ｍｍであり、重し部材９は、幅が４０ｍｍで長さが５６０ｍｍであるため、重し部材９の周囲にの保護材８には５〜１０ｍｍ程度の縫い代が残されている。
【００１５】
この状態から表皮５Ａと５Ｂとを山折りにして、図２（ｂ）に示すように、その対向する両端部５ａ、５ｂを縫い合わせ、さらに短辺側の左右両端部の部分５ｃ、５ｄを縫い合わせる。そして出来上がった袋状のものを内側を外側に折り返して、今度は図２（ｃ）に示すように、中央部の保護材８周囲の重し部材９との間の部分を表皮５と共に縫い合わせる。そして、図２（ｄ）に示すように、短辺側の両端部にファスナー１０を縫い付ける。このようにしてできた袋の左右の隆起部３、４となる部分に、開いた両方のファスナー１０から、予めチップ状のクッション材７を入れたメッシュ状の中袋６を押し込む。チップ状のクッション材７を入れた中袋６はぐにゃぐにゃしているので、容易には押し込めないが、本考案では、入り口と出口の両方にファスナー１０が付いており、中袋６を片方から押し込むと同時にもう片方から引っ張ることにより、容易に表皮５内に押し込むことができる。そして、隆起部３、４の形を整えてファスナー１０を閉じる。
【００１６】
図３はこのような枕１の使用状態を示しており、一方の隆起部４に頚椎部分が支持され、窪み部２に後頭隆起が収まり、他方の隆起部３に後頭部が支持される状態で使用される。これにより、頭部が安定的に支持されて極めて心地がよく眠ることができる。また、寝返りを打つ場合にも、窪み部２および隆起部３、４が連続しているので、頭部を楽に反転させることができる。また、横向きになった場合は、耳介部が丁度窪み部２に収まり、左右のいずれの側に反転しても、耳介部は常に窪み部２に収まるので、耳介部が枕により圧迫されることがない。また、頭部を載せた場合に、窪み部には頭部が接触しないので、夏場には頭部が涼しく感じられる。なお、本考案の枕は、枕の表裏をどちらの側にしても、重し部材により中央部が下がって窪み部が形成されるので、表裏のどちらの側を上にしても同様にして使用可能である。
【００１７】
なお、枕に関しては、使用する人の人体的特徴が異なるため、その人に最も適した形状の枕が好ましい。そこで、本考案においても、クッション材７の材質や硬さ、量等を調整することにより、隆起部３、４の形状を調整することができる。その際、クッション材７を充填した中袋６を複数本用意して、複数本の中袋６をそれぞれの隆起部３、４に挿入することにより、また、複数本の中袋６の異なるクッション材７を充填することにより、隆起部３、４の形状、硬さ等をより細かく調整することができる。また、重し部材９は、他の部分に比べて硬く、表皮５を洗濯する場合には突っ張った状態になり、違和感を感じることがあるので、ファスナー１０を開いたときに、重し部材９を取り出せるように、重し部材９の一端側を開放して縫い付け、洗濯時には重し部材９を取り出せるようにしてもよい。または窪み部２の表皮を保護材８および重し部材９を入れずに縫い付け、ファスナー１０により、またはその表側または裏側に別のファスナーを取り付けて、それらの部分から保護材８とそれに挟まれた重し部材９とを着脱できるようにしてもよい。さらに、枕は枕カバーを使用することが多いので、本考案における枕についても適宜使用者の好みに応じた枕カバーを使用することができる。
【図面の簡単な説明】
【００１８】
【図１】本考案の実施の形態における枕の平面図（ａ）と横断面図（ｂ）である。
【図２】本考案の実施の形態における枕の制作方法を示す工程図である。
【図３】本考案の実施の形態における枕の使用状態を示す斜視図である。
【符号の説明】
【００１９】
１  枕
２  窪み部
３、４  隆起部
５  表皮
６  中袋
７  クッション材
８  保護材
９  重し部材
１０  ファスナー
【図１】
0003128176.tif 000003
【図２】
0003128176.tif 000004
【図３】
0003128176.tif 000005